【事件の表示】
　特許第２８１９４９７号「除湿装置」の請求項１に係る特許に対する特許異議の申立てについて、次のとおり決定する。
【結　論】
　訂正を認める。
　特許第２８１９４９７号の請求項１に係る特許を維持する。
【理　由】
１．手続の経緯
　特許第２８１９４９７号の請求項１、２に係る発明についての出願は、平成８年７月２９日に特許出願され、平成１０年８月２８日に設定登録がされ、その後、その請求項１に係る発明についての特許に対して、異議申立人、松下精工株式会社により特許異議の申立てがなされ、取消理由が通知され、その指定期間内である平成１１年１２月２１日に訂正請求がなされたものである。
２．訂正の適否についての判断
（１）訂正明細書の請求項１、２に係る発明
　　訂正明細書の請求項１、２に係る発明は、その特許請求の範囲に記載された次の事項により特定されるとおりのものである。
「【請求項１】
　除湿すべき空気を本体１内へ吸入し、かつこの空気を顕熱交換器６の一方の通路６ａを経て、回転自在な吸湿ロータ９へ送り、吸湿ロータ９で除湿された空気を本体１外へ排出する第１ファン４と、ヒータ16により加熱された空気を上記除湿ロータ９へ送って吸湿ロータ９の水分を蒸発させることにより吸湿ロータ９を再生し、かつ高湿となった空気を上記顕熱交換器６の他方の通路６ｃへ送って顕熱交換器６内で結露を発生させた後、再びヒータ16を経て吸湿ロータ９へ循環させる第２ファン５と、上記顕熱交換器６内に結露した結露水を、空気を流通させることなく回収する手段とを具備したことを特徴とする除湿装置。
 【請求項２】
　吸湿ロータ９を、吸収した水分の重量を利用して自転させるようにしてなる請求項１記載の除湿装置。」
（２）訂正の内容
　ａ）訂正事項ａ
　　特許請求の範囲の請求項１の
「顕熱交換器６内に結露した結露水を回収する手段」を、
「顕熱交換器６内に結露した結露水を、空気を流通させることなく回収する手段」
と訂正する。
　ｂ）訂正事項ｂ
　　明細書第４段落第２行目にある「次のよう問題点」を「次のような問題点」に訂正する。
　ｃ）訂正事項ｃ
　　明細書第１１段落第８行目にある「結露水を回収する手段」を「結露水を、空気を流通させることなく回収する手段」に訂正する。
　ｄ）訂正事項ｄ
　　明細書第２７段落第第６行目にある「大きけれは」を「大きければ」に訂正する。
（３）訂正の目的の適否、新規事項の有無、及び拡張・変更の在否
  訂正事項ａ）、及び訂正事項ｃ）は、特許請求の範囲の減縮、及びそれに伴う明瞭でない記載の釈明を目的としたものでり、それに関連する記載として、願書に添付した明細書の発明の詳細な説明には、第４図とともに、「ドレンパン24底部の水抜き孔24ａは、空気が流通しないようにフロート弁27で閉鎖されている」（段落【0026】抜粋）との記載がある。
  また、訂正事項ｂ）、訂正事項ｄ）は、誤記の訂正を目的としたものにすぎない。
　よって、訂正事項ａ）乃至ｄ）による訂正は、願書に添付した明細書又は図面に記載した事項の範囲内においてなされたものであり、また、それにより、実質上特許請求の範囲を拡張し、又は変更するものでもないと認められる。
　
（４）独立特許要件
　本件特許の出願の日前の他の出願であって、その出願後に出願公開された特願平７−２７３８９１号（特開平９−１０８４９６号公報参照）の願書に最初に添付した明細書及び図面（以下、「先願明細書」という。）には、以下の記載がある。
　ａ）「６は本体」（段落【0011】抜粋）
　ｂ）「１６は前記吸着剤１１を回転する駆動手段」（段落【0011】抜粋）
　ｃ）「第２送風ファン１５によって循環する循環空気は第２送風ファン１５の吹き出し口から加熱手段１３に流れ、ここで高温に加熱され吸着剤１１の再生側で吸着剤１１の湿気を脱着させる。比較的高温高湿となった循環空気は熱交換器１２の循環パイプ内に導かれ、ここで室内空気によって露点温度以下に冷却され、再び第２送風ファン１５の吸い込み口に吸い込まれ循環する。露点温度以下に冷却　　された循環空気から回収した水は水抜き穴２０から外部に放出される。」（段落【0012】抜粋）
　ｄ）「吸着と再生が同時に並行して行われ、所定時間が経過すると駆動手段１６が働き吸着剤１１を回転させ、吸着剤１１の吸着側と再生側とが入れ替わる。再び吸着と再生が並行して行われる。」（段落【0012】抜粋）　
　ｅ）「室内空気が第１送風ファン１４によって第２風洞１９を通して室内空気吸い込み口１０から吸い込まれ、熱交換器１２の冷却側を通り、熱交換器１２の循環パイプ側を流れる高温高湿の循環空気を冷却し熱交換されて高温となる。さらに、吸着側吸着剤１１に流れ、湿気を奪われると同時に蒸発潜熱が発生し、乾いた高温の空気となり乾燥用空気の吹き出し口９から吐出する。」（段落【0015】抜粋）
　ｆ）「【図２】本発明の実施の形態２の除湿装置の構成図」（図面の簡単な説明）
　これらａ）からｆ）の記載及び図２からみて、先願明細書には、以下の事項が記載されていると認められる。
　除湿すべき空気を本体６内へ吸入し、かつこの空気を熱交換器１２の冷却側を経て、回転自在な吸着剤１１へ送り、吸着剤１１で除湿された空気を本体６外へ排出する第１送風ファン１４と、加熱手段１３により加熱された空気を上記吸着剤１１へ送って吸着剤１１の水分を脱着させることにより吸着剤１１を再生し、かつ高湿となった空気を上記熱交換器１２の循環パイプ側へ送って熱交換器１２内で結露を発生させた後、再び加熱手段１３を経て吸着剤１１へ循環させる第２送風ファン１５と、上記熱交換器１２内に結露した結露水を回収する水抜き穴２０とを具備する除湿装置。
（対比・判断）
　そこで、訂正明細書の請求項１に記載されたもの（前者）と先願明細書に記載されたもの（後者）を対比すると、後者の「吸着剤１１」は前者の「吸湿ロータ９」に相当し、後者の「加熱手段１３」は前者の「ヒータ１６」に相当し、後者の「脱着させる」は前者の「蒸発させる」に相当し、後者の「熱交換器１２」は前者の「顕熱交換器６」に相当し、後者の「熱交換器１２の冷却側」は前者の「顕熱交換器６の一方の通路６ａ」に相当し、後者の「熱交換器１２の循環パイプ側」は前者の「顕熱交換器６の他の通路６c」に相当し、後者の「水抜き穴２０」は前者の「回収する手段」に相当する。また、後者の「第１送風ファン１４」と前者の「第１ファン４」とは、第１のファンということができ、後者の「第２送風ファン１５」と前者の「第２ファン５」とは、第２のファンということができる。
　そうしてみると、両者は、
　除湿すべき空気を本体内へ吸入し、かつこの空気を顕熱交換器の一方の通路を経て、回転自在な吸湿ロータへ送り、吸湿ロータで除湿された空気を本体外へ排出する第１のファンと、ヒータにより加熱された空気を上記除湿ロータへ送って吸湿ロータの水分を蒸発させることにより吸湿ロータを再生し、かつ高湿となった空気を上記顕熱交換器の他方の通路へ送って顕熱交換器内で結露を発生させた後、再びヒータを経て吸湿ロータへ循環させる第２のファンと、上記顕熱交換器６内に結露した結露水を回収する手段とを具備したことを特徴とする除湿装置、
　で一致するが、次の点で相違する。
　すなわち、前者は、「吸湿ロータと本体の間隙内の空気の移動により除湿量の低下が引き起こることのない除湿装置を提供すること」（段落【0010】抜粋）を目的の一つとするものであり、「除湿すべき空気を本体内へ吸入し、かつこの空気を顕熱交換器の一方の通路を経て、回転自在な吸湿ロータへ送り、吸湿ロータで除湿された空気を本体外へ排出する第１ファン」と、「ヒータにより加熱された空気を上記除湿ロータへ送って吸湿ロータの水分を蒸発させることにより吸湿ロータを再生し、かつ高湿となった空気を上記顕熱交換器の他方の通路へ送って顕熱交換器内で結露を発生させた後、再びヒータを経て吸湿ロータへ循環させる第２ファン」とを組合せ、結露水を回収する手段を、「空気を流通させることをなく」（請求項１）することで、効果として、「吸湿ロータの前後に設けられた各室の圧力はほぼ同程度となる」（段落【0032】抜粋）ことを達成する点で相違する。
　したがって、前者は、後者と同一であると認められない。
　また、訂正明細書の請求項２に係る発明は、請求項１を引用したものであって請求項１をそのまま具備するから、訂正明細書の請求項１に係る発明におけると同様の理由により、後者と同一であると認められない。
　
（５）むすび
　以上のとおりであるから、訂正事項ａ）乃至ｄ）による訂正は、特許法第１２０条の４第２項及び同条第３項において準用する第１２６条第２乃至同条第４項の規定に適合するので、当該訂正を認める。
３．特許異議の申立てについて
（１）本件発明
　本件特許の請求項１に係る発明は、訂正後の特許請求の範囲の請求項１に記載された事項により特定されるとおりのものである。（２．（１）参照。）
（２）申立ての理由の概要
　本件特許発明は、その出願の日前の出願であって、その出願後に出願公開された甲第１号証（特願平７−２７３８９１号（特開平９−１０８４９６号公報参照））の明細書又は図面に記載された発明と同一であり、しかも、この出願の発明者がその出願前の出願に係る上記の発明をした者と同一でなく、またこの出願の時において、その出願人がその出願前の出願に係る上記特許出願の出願人と同一でもないので、特許法第２９条の２の規定により特許を受けることができないものであり、その特許は同法第１１３条第１項第２号により取り消すべきものである。
（３）判断
　本件特許の請求項１に係る発明と、特許異議申立人が提出した甲第１号証の明細書又は図面に記載された発明とは、前記２．（４）で示したとおり、同一であると認められない。
（４）むすび
　したがって、特許異議申立の理由及び証拠によっては、本件特許の請求項１に係る発明の特許を取り消すことはできない。
　また、他に、本件特許の請求項１に係る発明の特許を取り消すべき理由を発見しない。
　よって、結論のとおり決定する。
【異議決定日】
平成１２年７月３１日（２０００．７．３１）
【訂正の要旨】
訂正の要旨
　ａ）訂正事項ａ
　　　特許請求の範囲の請求項１の
「顕熱交換器６内に結露した結露水を回収する手段」を、
「顕熱交換器６内に結露した結露水を、空気を流通させることなく回収する手段」
と訂正する。
　ｂ）訂正事項ｂ
　　　明細書第４段落第２行目にある「次のよう問題点」を「次のような問題点」に訂正する。
　ｃ）訂正事項ｃ
　　　明細書第１１段落第８行目にある「結露水を回収する手段」を「結露水を、空気を流通させることなく回収する手段」に訂正する。
　ｄ）訂正事項ｄ
　　　明細書第２７段落第第６行目にある「大きけれは」を「大きければ」に訂正する。
（５４）【発明の名称】
除湿装置
（５７）【特許請求の範囲】
　　【請求項１】　除湿すべき空気を本体１内へ吸入し、かつこの空気を顕熱交換器６の一方の通路６ａを経て、回転自在な吸湿ロータ９へ送り、吸湿ロータ９で除湿された空気を本体１外へ排出する第１ファン４と、ヒータ１６により加熱された空気を上記除湿ロータ９へ送って吸湿ロータ９の水分を蒸発させることにより吸湿ロータ９を再生し、かつ高湿となった空気を上記顕熱交換器６の他方の通路６ｃへ送って顕熱交換器６内で結露を発生させた後、再びヒータ１６を経て吸湿ロータ９へ循環させる第２ファン５と、上記顕熱交換器６内に結露した結露水を
、空気を流通させることなく
　　【請求項２】　吸湿ロータ９を、吸収した水分の重量を利用して自転させるようにしてなる請求項１記載の除湿装置。
【発明の詳細な説明】
　　　【０００１】
　　【発明の属する技術分野】
　この発明はダクト配管工事を必要とせずに設置が可能な除湿装置に関する。
　　　【０００２】
　　【従来の技術】
　従来空気中の水分を除湿する除湿装置としては、例えば特願平６−３２４０１５号で出願されたものがある
　　　【０００３】
　この出願の除湿装置は、図１及び図２に示すようにファンａにより本体ｂ内に吸入した除湿すべき空気の一部を、本体ｂ内に回転自在に設けられた吸湿ロー夕ｃへ送って吸湿ロータｃにより吸湿後本体ｂ外へ排出すると共に、吸入空気の残りは、本体ｂ内に設けられた顕熱交換器ｅの一方の通路ｆよりヒータｇを経て上記吸湿ロータｃへ送ることにより吸湿ロータｃを再生し、吸湿ロー夕ｃの再生により高湿となった空気を上記顕熱交換器ｅの他方の通路ｈへ送り込むことにより顕熱交換器ｅに結露を発生させ、この結露水を回収をするようにしている。
　　　【０００４】
　　【発明が解決しようとする課題】
　しかし上記従来の除湿装置では、次のような問題点があった。
　　　【０００５】
（問題点１）
　吸湿ロータｃを使用する除湿装置では、吸湿ロータｃの加熱再生時に発生した高湿空気は、顕熱交換器ｅの通路ｈ内において本体ｂ周辺の空気により冷却されて露点温度以下となるため、通路ｈの出口の空気温度は周辺温度より若干高く、またその相対湿度は１００％となって、通路ｈ出口の空気は本体ｂの周辺空気より多くの湿気を含んでいる。
　　　【０００６】
　このため上記出願の除湿装置のように、顕熱交換器ｅで冷却された空気をそのまま本体ｂ外へ排出するのでは除湿効率がよくないと共に、この高湿の空気を排出しないで、ファンａより吸い込んで再利用しても、高湿空気はファンａにより本体ｂの周辺空気と混合希釈され、除湿効率を高めることができないなどの不具合がある。
　　　【０００７】
（問題点２）
　上記出願の除湿装置は、吸湿ロータｃの周辺に４つの室を有していて、これら室間を完全に密閉することは実用上困難である。特に吸湿ロータｃを自重により自動回転させる方式では、吸湿ロータｃに生じる回転力が弱いため、吸湿ロータｃと本体ｂの間に隙間が必要となる。
　　　【０００８】
　また上記出願の除湿装置では、ファンａにより吸入された空気は２つに分かれ吸湿ロータｃと顕熱交換器ｅに送られるので、吸湿ロータｃの通路ｋ入口と、顕熱交換器ｅの通路ｆ入口の圧力はほぼ同じであり、またその圧力は本体ｂ周辺より高い。顕熱交換器ｅの通路ｆに流入した空気は順次、ヒータｇ、吸湿ロータｃの通路ｉ、顕熱交換器ｅの通路ｈを通過し、圧力は低下し、排気された時点で圧力は本体ｂ周辺と同じになる。従って吸湿ロータｃの通路ｉ出口の圧力は、吸湿ロータｃの通路ｋ入口よりも低い。このため、吸湿ロータｃの通路ｋ入口付近の空気は吸湿ロータｃの通路ｉ出口へ流れて行き、吸湿ロータｃ本体で発生した高湿空気は温度湿度共に低下し、除湿量も低下する不具合がある。
　　　【０００９】
　さらに吸湿ロータｃの通路ｋから出た空気は、直ちに本体ｂ外へ排気されるので、吸湿ロータｃの通路ｋ出口付近の圧力は、本体ｂ外の圧力とほぼ等しい。従って吸湿ロータｃの通路ｉ入口の圧力は、吸湿ロータｃの通路ｋ出口よりも高い。このため吸湿ロータｃの通路ｉ入口付近のヒータｇにより加熱された空気の一部は、吸湿ロータｃの通路ｋ出口へ流れて行き、吸湿ロータｃで発生する高湿空気量は低下し、除湿量も低下する不具合がある。
　　　【００１０】　
　この発明は、かかる従来の不具合を改善するためになされたもので、一度本体内で発生させた高湿空気を無駄にすることなく、かつ吸湿ロータと本体の間隙内の空気の移動により除湿量の低下が引き起こることのない除湿装置を提供することを目的とするものである。
　　　【００１１】
　　【課題を解決するための手段】
　上記目的を達成するため請求項１記載の発明は、除湿すべき空気を本体内へ吸入し、かつこの空気を顕熱交換器の一方の通路を経て、回転自在な吸湿ロータヘ送り、吸湿ロータで除湿された空気を本体外へ排出する第１ファンと、ヒータにより加熱さた空気を上記吸湿ロータヘ送って吸湿ロータの水分を蒸発させることにより吸湿ロータを再生し、かつ高湿となった空気を上記顕熱交換器の他方の通路へ送って顕熱交換器内で結露を発生させた後、再びヒータを経て吸湿ロータヘ循環させる第２ファンと、上記顕熱交換器内に結露した結露水を
、空気を流通させることなく
　　　【００１２】
　上記構成により、吸湿ロータを再生して高湿となった空気は、顕熱交換器により水分が除去された後、再びヒータを経て吸湿ロータヘ循環されるため、高湿空気が本体外へ排出されることがない。また除湿する空気を吸湿ロータヘ送るファンと、吸湿ロータヘ再生するための空気を送るファンを別にしたことから、吸湿ロータの前後に設けられた室の圧力をほぼ同じにでき、これによって除湿すべき空気と再生用の空気が混ざり合うことがないため、除湿量が向上する。
　　　【００１３】
　上記目的を達成するため請求項２の発明は、吸湿ロータを、吸湿した水分の重量を利用して自転させるようにしたものである。
　　　【００１４】
　上記構成により、吸湿ロータに駆動源を設ける必要がないため、構成が簡単になると共に、消費電力も低減できる。
　　　【００１５】
　　【発明の実施の形態】
　この発明の一実施の形態を図３ないし図５に示す図面を参照して詳述する。図３は除湿装置の一部切欠斜視図、図４は図３のＡ−Ａ線に沿う断面図、図５は作用説明図である。
　　　【００１６】
　図３において１は除湿装置の本体で、箱形をなすケース１ａの内底部に、結露水を収容する容器２が設けられている。上記容器２上にはファンモータ３により同時に回転される２基の第１，第２ファン４，５が設置されていて、第１ファン４により本体１内に取り込まれた本体１周辺の空気は、容器２の上方に設置された顕熱交換器６の通路６ａ及び室７を通ってダクト８へ取り込まれ、吸湿ロータ９へ送られるようになっている。
　　　【００１７】
　上記吸湿ロータ９は、円盤状をなしていて、筒状の吸湿ロータケース１０内に回転自在に収容されており、吸湿ロータケース１０の前後面には、互いに対向する位置に半円形の室１２，１３が設けられている。上記吸湿ロータ９は、塩化カルシウム、塩化リチウム、シリカゲル、モレキューラシーブス等の湿気を吸収あるいは吸着する物質を含浸またはコーティングした多数の通路９ａ，９ｂが前後面を貫通するように設けられていて、中心部に設けられた軸９ｃが吸湿ロータケース１０に回転自在に支承されていると共に、上記室１２，１３の一方１２にダクト８が接続されていて、ダクト８より室１２内に流入された空気は、吸湿ロータ９の通路９ｂを通過する際、空気中の水分が除湿されるようになっている。
　　　【００１８】
　また吸湿ロータ９の通路９ｂを通過した空気は、反対側に設けられた室１３よりダクト１４を介して第１ファン４へ吸入された後、図示しない空気排気口より本体１外へ排気されるようになっている。
　　　【００１９】
　一方上記第２ファン５より送り出された空気は、ダクト１５より上記顕熱交換器６の別の通路６ｂへ送られ、通路６ｂを通過した空気は、ヒータ１６が設けられた室１７に送られてヒータ１６で加熱されるようになっている。そして室１７を通過した空気は、ダクト１８を経て上記吸湿ロータケース１０の前後面に設けられた室１９，２０の一方１９へ流入される。
　　　【００２０】
　上記室１９，２０は別の室１２，１３より小さくなっていて、一方の室１９へ送り込まれた空気は吸湿ロータ９の通路９ａを通過した後、他方の室２０に達するようになっている。室２０に達した空気は、ダクト２２により顕熱交換器６の上部に設けられた室２３を経て顕熱交換器６の通路６ｃへ送り込まれ、通路６ｃを通過した空気は、上記顕熱交換器６の下部に設置されたドレンパン２４の室２５に達し、さらにダクト２６により第２ファン５へ送られて、再び上記経路を循環されるようになっている。
　　　【００２１】
　また上記ドレンパン２４の内底部には、図４に示すように水抜き孔２４ａが開口されていて、この水抜き孔２４ａにフロート弁２７が設けられている。このフロート弁２７は水抜き孔２４ａを開閉する弁体２７ａと、この弁体２７ａの上部に取り付けられたフロート２７ｂとより構成されていて、ドレンパン２４内に結露水が溜まると浮力により開放して、ドレンパン２４内の結露水を下側の容器２内へ排水するようになっている。
　　　【００２２】
　なお上記顕熱交換器６は、通路６ａ，６ｂ，６ｃを有していて、これら通路６ａ，６ｂと通路６ｃを流通する空気の間で互いに熱交換を行うように構成されている。
　　　【００２３】
　次に上記構成された除湿装置の作用を説明すると，いま除湿を開始すべく図示しない電源スイッチをオンにすると、ファンモータ３が運転し第１ファン４及び第２ファン５が回転し、ヒータ１６に通電される。第１ファン４により図示しない空気吸込口から吸入された空気は、顕熱交換器６の通路６ａを経て吸湿ロータ９へ達し、吸湿ロータ９の通路９ｂを通過する際、空気中の水蒸気が吸収され除湿が行われる。そして除湿されて乾燥した空気は第１ファン４から図示しない空気排気口より排出されると共に、吸湿ロータ９は空気中の水蒸気を吸収することにより、室１２及び室１３の側が重くなり、これによって矢印方向へ自力回転する。
　　　【００２４】
　一方第２ファン５により送出された空気は、顕熱交換器６の通路６ｂを経てヒータ１６に達し、ヒータ１６で高温に加熱された後、吸湿ロータ９の通９ａに達する。室１９，２０側の通路９ａは室１２，１３側で空気中の水蒸気を吸収して高湿となった通路９ｂが吸湿ロータ９の自力回転によりこの位置にきており、この高湿となった通路９ａ内にヒータ１６により加熱された高温空気が流入するため、水蒸気が発生して通過した空気は高温高湿となる。吸湿ロータ９は水分を奪われることで再生され、再び水蒸気を吸収できる状態となって室１２，１３側に自力回転して行く。
　　　【００２５】
　そして、上記高温高湿空気は顕熱交換器６に達し通路６ｃを通過する。この際、高温高湿空気は顕熱交換器６の通路６ｂ，６ｃを通過する空気により冷却され、通路６ｃの表面に結露が発生する。通路６ｃから出た空気の温度は通路６ａを通過する空気の温度以下になることはなく、また相対湿度は１００％なので、本体１周辺の空気の絶対湿度よりも高い。この高湿空気は第２ファン５に吸い込まれた後、本体１外へ排出されることなく再びダクト１５へ吹き出され、上記経路内を循環する。
　　　【００２６】
　顕熱交換器６の通路６ｃ内に発生した結露水は、ドレンパン２４へ集められる。ドレンパン２４底部の水抜き孔２４ａは、空気が流通しないようにフロート弁２７で閉鎖されているが、ドレンパン２４内に結露水が溜まると、フロート２７ｂが浮き上がって弁体２７ａが開放するため、結露水は水抜き孔２４ａより容器２内へ排出され、容器２内に溜められる。
　　　【００２７】
　容器２内に溜められた水分量がこの除湿装置の除湿量となり、適当に溜まったところで本体１より容器２を取り出して排出することにより除湿が行える。上記構成により第２ファン５を有する経路は室２０が入口、室１９が出口となり、これらの室の圧力は室１２，１３とほぼ同じになる。従って室１９，２０と室１２，１３間の吸湿ロータケース１０と吸湿ロータ９の間隙が小さい或いは室１９，２０と室１２，１３間の距離が十分に大きけれ
ば
　　　【００２８】
　なお、上記実施の形態では除湿ロータ９を円盤状としたのが、多角筒状や直方体状などであってもよい。また、上記実施の形態では吸湿ロータ９を回転自在に支承して、吸湿した水蒸気の重量で自力回転させるようにしたが、動力伝達手段によりファンモータ３と連動させてもよい。さらに上記実施の形態ではヒータ１６を有する室１７へ流入する空気を顕熱交換器６の通路６ｂを通過させ高温高湿空気を冷却する際に熱回収を行っているが、熱回収は行わなくてもよい。
　　　【００２９】
　一方吸湿ロータ９を自重で回転させる除湿装置では、吸湿ロータ９とその両側に位置する隔壁の間に隙間を設けないと、吸湿ロータ９が円滑に回転しない。このため従来の除湿装置では、吸湿ロータ９と隔壁の間に１ｍｍの隙間を設けているが、この隙間を１ｍｍ広げる毎に除湿量が１０％程度減少し、除湿効率が低下する原因となっている。
　　　【００３０】
　しかしこの発明の実施の形態になる除湿装置では、吸湿ロータ９と吸湿ロータ１０間の隙間を４ｍｍまで拡大しても、除湿量はほとんど減少しなかった。従ってこの発明の除湿装置によれば、量産時の寸法公差が大きくとれるので、製作及び組立が容易となる上、吸湿ロータ９と吸湿ロータケース１０の間に塵埃などが侵入したため、吸湿ロータ９が回転不能になるなどの不具合を生じることはない。
　　　【００３１】
　　【発明の効果】
　この発明は以上詳述したように、吸湿ロータが吸湿した水分を、ヒータにより加熱した空気に蒸発させて、吸湿ロータを再び吸湿できるように再生するようにしたことから、除湿効果が長期間維持できると共に、吸湿ロータより蒸発した水蒸気を含んだ空気を顕熱交換器を経て再び循環させるようにしたことから、従来の水蒸気を含んだ高湿となった空気を本体外へ排気していたものに比べて、除湿効果が大幅に向上する。
　　　【００３２】
　またこの発明では、除湿する空気を送風するファンと、吸湿ロータを再生するファンを別にして、吸湿ロータを再生する空気を循環させるようにしたことから、吸湿ロータの前後に設けられた各室の圧力はほぼ同程度となる。これによって吸湿ロータと吸湿ロータケースとの隙間を大きくしても、空気が互いに混ざり合うことがないため、従来の吸湿ロータで発生した高湿空気が混ざり合って除湿量が低下したり、顕熱交換器へ送られて水分が除去される高湿空気が減少して除湿量が減少するなどの不具合を解消することができる。
　　　【００３３】
　さらに、吸湿ロータと吸湿ロータケースの間の隙間を大きくできるため、量産する際の寸法公差を大きくすることができ、これによって製作及び組立が容易となるため安価に提供できると共に、吸湿ロータと吸湿ロータケースの隙間に塵埃などが侵入して、吸湿ロータの回転が不能になるなどの不具合も生じることがない。
　　　【００３４】
【図面の簡単な説明】
　　【図１】
　従来の除湿装置の一部切欠斜視図である。
　　【図２】
　従来の除湿装置の作用説明図である。
　　【図３】
　この発明の一実施形態になる除湿装置の一部切欠斜視図である。
　　【図４】
　図３のＡ−Ａ線に沿う断面図である。
　　【図５】
　この発明の一実施の形態になる除湿装置の作用説明図である。
　　【符号の説明】
　１　本体
　４　第１フアン
　５　第２フアン
　６　顕熱交換器
　６ａ　通路
　６ｂ　通路
　９　吸湿ロータ
　１６　ヒータ